(57)【要約】【課題】  清掃する目的物と接触し直接清掃効果を有する手段と、紫外線ランプによる殺菌機能を備え、作動時安全に作動する手段を備える掃除機を提供する。【解決手段】  掃除機において、掃除機をなす本体内部に装置され電動作動する回転型ブラシと、回転型ブラシの前端に設置され吸入口から吸入されるほこり、細菌、害虫及びごみに対する殺菌機能と害虫の付着力を弱化させ清掃を容易にする機能を備える紫外線ランプから構成される。紫外線ランプの作動は掃除機の車輪が地面に接した場合にだけ作動するよう構成された掃除機を特徴とする。【選択図】      図２
2004283545.tif 000002
【特許請求の範囲】
【請求項１】
掃除機において、
前記掃除機をなす本体（１）内部に装置され電動で作動する回転型ブラシ（１００）と；回転型ブラシ（１００）の前端に設置され、害虫と清掃対象物の付着力を弱化させて吸込口（１１６）から吸込まれるほこり、細菌、害虫及びごみに対する殺菌機能を有する紫外線ランプ（１０１）から構成され、紫外線ランプ（１０１）の作動は掃除機の車輪が地面に接した場合にだけ作動する構成としたことを特徴とする紫外線殺菌機能を有するブラシ型掃除機。
【請求項２】
前記掃除機は表面を覆っているプラスチックからなる本体（１）と、前記本体（１）の側面部に設置された移動用車輪（１０２）と、前記本体（１）の後方部から上部方向へ設置された取っ手（１０３）と、内蔵された回転型ブラシ（１００）の動作状態と掃除機の汚染状態がわかるように本体前方部回転型ブラシ上部側に装置されたプラスチック透明窓（１０５）と、本体（１）上部側に設置され内蔵されたモータに電源を供給するための電源ボタン（１０６）から構成される外部装置部と、
本体（１）内部の前方吸込口（１１６）側に装置された殺菌用紫外線ランプ（１０１）を覆い紫外線が回転型ブラシ前端に照射されるよう設置された紫外線ランプカバー（１０７）と、本体（１）内部中央部に設置されて回転型ブラシ（１００）から伝達されるごみ、ほこり、細菌等を捕集する収納型ごみ収集筒（１０８）と、前記回転型ブラシ（１００）に動力を伝達するモータ（１０９）と、前記モータ及び紫外線ランプに電源を供給するよう内蔵された充電式乾電池と、電源ボタン、モータ、紫外線ランプ、充電式乾電池及び充電装置間の回路連結のため回路基板等から構成された内部装置部をさらに含んで結合構成されたことを特徴とする請求項１記載の紫外線殺菌機能を有するブラシ型掃除機。
【請求項３】
前記回転型ブラシ（１００）の動力伝達構造は動力を発生させるモータ（１０９）と、このモータ（１０９）の一側端に設置されたモータ側ギア（１１０）及び回転型ブラシ（１００）の一側端に形成されたブラシ側ギア（１１１）を覆い動力を伝達する動力伝達ベルト（１１５）から構成されることを特徴とする請求項１または２のうちいずれか一項記載の紫外線殺菌機能を有するブラシ型掃除機。
【請求項４】
前記紫外線ランプ（１０１）の照射角度は内部回転型ブラシ（１００）側に向かうようこれを覆っている反射板機能をする紫外線ランプカバー（１０７）により調節されるよう構成したことを特徴とする請求項１記載の紫外線殺菌機能を有するブラシ型掃除機。
【請求項５】
前記回転型ブラシ一側端に設置されたブラシ側ベベルギア（１１２）と、これと連動する側面ブラシ側ベベルギア（１１３）と、側面ブラシ側ベベルギア（１１３）に設置された側面回転ブラシ（１１４）をさらに含んで構成することを特徴とする請求項１または２のうちいずれか一項記載の紫外線殺菌機能を有するブラシ型掃除機。
【請求項６】
前記紫外線ランプ（１０１）を作動させるスイッチは本体（１）底面に短絡された接点を形成して、この接点下部に接点用車輪を装置し掃除機が床に接した際物理的にスイッチが接点され点灯されるよう構成したことを特徴とする請求項１または２のうちいずれか一項記載の紫外線殺菌機能を有するブラシ型掃除機。
【発明の詳細な説明】
【技術分野】
【０００１】
本発明は、紫外線殺菌機能を有するブラシ型掃除機に関し、詳細には、掃除機前端に紫外線ランプが設置され殺菌及び万一殺菌されない害虫等があれば、その活動を弱化させた後、その後端に有する回転型ブラシの回転によりほこりや細菌（害虫）等を捕集する掃除機に関するものである。
【背景技術】
【０００２】
一般的に、家庭で使用される掃除用具には、人の力によって使用するほうきやちりとりがあり、動力を利用した掃除用具には真空掃除機がある。
【０００３】
前記真空掃除機はモータを駆動させ掃除機本体の内部を高い真空状態にして、周囲と掃除機本体内部との高い圧力差により発生する強い吸入力で周囲の空気を吸入し、空気中に含まれたほこり及び各種汚物を収去する。ここで、空気中に含まれたほこり及び各種汚物は掃除機本体の内部に設置されたフィルタにより捕集され、空気は外部に排出される。
【０００４】
このような真空掃除機は、形態によりキャニスター型、アップライト型、スティック型、ハンディ型及びドラム型等に分類される。
【０００５】
また前記のような真空掃除機に紫外線を照らし、捕集した清掃物を消毒する単純な殺菌機能を備えるよう紫外線ランプ等を使用した真空掃除機がある。
【０００６】
しかし、前記のような従来の真空掃除機の問題点には、真空による吸入力が接した面との間隔により多くの差が発生するということがある。例えば、カーペット等に寄生するダニ等の害虫はカーペットに自分の力で吸着していて真空掃除機の真空吸入力が弱くなる場合これを除去するのが困難で、確実な清掃効果を得るのが難しい。よって、ほこり、細菌、害虫、ごみ等を清掃時真空吸入力により円滑な清掃に困難な場合が発生するという問題点がある。
【０００７】
また吸入されるほこりや細菌等の殺菌機能を備えるよう紫外線ランプが設置された真空掃除機の場合、その設置位置により真空掃除機作動時、周囲にいる人や幼児達に有害な紫外線を照射する問題点がある。また、その作動が掃除機の作動と同時なためこれを安全に制御する手段がないという問題点がある。
【発明の開示】
【発明が解決しようとする課題】
【０００８】
前記のような問題点を解決するための本発明の目的は清掃目的物と接触し直接的な清掃効果を備える手段と、紫外線ランプにより害虫の付着力を低下させて殺菌機能を備えながらも、作動時安全に作動する手段を有する掃除機を提供することにある。
【０００９】
前記のような本発明の目的は、従来の真空掃除機のような真空吸入力を使用せず、回転型ブラシの回転力を利用し清掃し、また回転型ブラシの前端に紫外線ランプを設置し清掃されるほこり、細菌、害虫及びごみに対する殺菌機能を備えるが、その紫外線ランプの作動が掃除機の車輪が床に接した場合にだけ作動するよう安全装置を具備した掃除機を提供することで達成する。
【課題を解決するための手段】
【００１０】
次に、前記のような目的を達成して従来の欠点を除去するための課題を実行する本発明の掃除機の構造を外部及び内部装置に分離して説明する。
【００１１】
まず、外部を説明すると、表面を覆っているプラスチックからなる本体１と、本体１の側面部に設置された移動用車輪１０２と、本体１の後方部から上部方向へ設置された取っ手１０３と、内蔵された回転型ブラシ１００の動作状態と掃除機の汚染状態がわかるよう本体前方部ブラシ上部側に装置されたプラスチック透明窓１０５と、前方部に開放され設置された吸込口１１６と、本体１上部側に設置され内蔵されたモータ１０９に電源を供給するための電源ボタン１０６と、底面に設置され車輪が地面に接した時にだけ作動するよう構成した紫外線ランプ作動用スイッチ（図示せず）から構成される。
【００１２】
内部構成を詳しくみると、本体１内部の前方吸込口１１６側に装置された殺菌用紫外線ランプ１０１と、この紫外線ランプ１０１を覆い紫外線が回転型ブラシ１００前端に照射するよう設置された紫外線ランプカバー１０７と、この紫外線ランプ１０１後端に設置され電動で回転しごみ、ほこり、細菌等を清掃する回転型ブラシ１００と、本体１内部中央部に設置されて回転型ブラシ１００から伝達されるごみ、ほこり、細菌等を捕集する収納型ごみ収集筒１０８と、回転型ブラシ１００に動力を伝達するモータ１０９と、モータ１０９の一側端に設置されたモータ側ギア１１０とブラシ側ギアを覆っている動力伝達ベルト１１５と、前記モータ及び紫外線ランプに電源を供給するよう内蔵された充電式乾電池と、電源ボタン１０６、モータ、紫外線ランプ、充電式乾電池及び充電装置間の回路連結のための回路基板等から構成されたことを特徴とする。
【００１３】
また本発明の掃除機は、回転型ブラシギア側１１１端部に設置されたブラシ側ベベルギア１１２と、これと連動される側面ブラシ側ベベルギア１１３と、側面ブラシ側ベベルギア１１３に設置された側面回転ブラシ１１４をさらに含んだ構成とすることもできる。
【発明の効果】
【００１４】
本発明は回転型ブラシの回転力を利用し清掃することで清掃される目的物と接触し直接的な清掃効果があるという長所がある。また、回転型ブラシの前端に紫外線ランプを設置し害虫に紫外線衝撃を与え害虫と清掃対象物の付着力を弱化させる一方で清掃されるほこり、細菌、害虫及びごみに対する殺菌機能を備える。更にはその紫外線ランプの作動が掃除機の車輪に接した場合にだけ作動するよう安全手段を具備することで紫外線ランプ作動時、紫外線が人に照射されることによって発生する問題点を未然に解決した長所を備える。
【発明を実施するための最良の形態】
【００１５】
以下、本発明の実施例である構成とその作用を添付図面を参照に詳細に説明する。
【００１６】
図１は本発明の斜視図である。その構成は表面を覆っているプラスチックからなる本体１と、本体１の側面部に設置された移動用車輪１０２と、本体１の後方部から上部方向に設置された取っ手１０３と、内蔵された回転型ブラシ１００の動作状態と掃除機の汚染状態がわかるよう本体前方部ブラシ１００上部側に装置したプラスチック透明窓１０５と、前方部に開放され設置された吸込口１１６と、本体１上部側に設置され内蔵されたモータ１０９に電源を供給するための電源ボタン１０６から構成される。
【００１７】
また、底面にはランプ点灯用車輪が設けられ地面に接した時にだけ作動するよう構成した紫外線ランプ作動用スイッチから構成される（図示せず）。
【００１８】
掃除機本体１の側面に設置された車輪１０２は安定的な移動のため４個以上の車輪が設けられ掃除機の移動が容易になるよう構成されている。もちろん車輪の数はこのような数に必ずしも限定されない。
【００１９】
図２は本発明の作動状態を示す実施例図である。その構成は本体１内部の前方吸込口１１６側に装置された殺菌用紫外線ランプ１０１と、この紫外線ランプ１０１を覆う紫外線が回転型ブラシ１００前端に照射されるよう設置された紫外線ランプカバー１０７と、この紫外線ランプ１０１後端に設置され電動で回転しごみ、ほこり、細菌等を清掃する回転型ブラシ１００と、本体１内部中央部に設置されて回転型ブラシ１００から伝達されるごみ、ほこり、細菌等を捕集する収納型ごみ収集筒１０８から構成される。
【００２０】
紫外線ランプ１０１は紫外線が人体に接触しないようにするため別途に紫外線ランプ１０１スイッチが設置される。すなわち、紫外線ランプ１０１を作動させるスイッチは本体１底面に短絡された接点を形成して、この接点下部に接点用車輪を装置し掃除機が床に接した時に物理的にスイッチが閉じ点灯されるよう構成する。
【００２１】
紫外線ランプ１０１の照射角度は内部回転型ブラシ１００側に向かいこれを覆っている反射板機能をする紫外線ランプカバー１０７により調節される。
【００２２】
回転型ブラシ１００の設置の高さは地面にブラシの毛が若干曲がる程度に設置したりかする程度に調整し異物質が吸込まれた後回転によりごみ収集筒１０８に伝達され得る程度に設置する。
【００２３】
図３は本発明のブラシ駆動方法を示す実施例図である。図４は本発明のブラシの作動構造を示す実施例図であり、その構成は回転型ブラシ１００に動力を伝達するモータ１０９と、モータ１０９の一側端に設置されたモータ側ギア１１０とブラシ側ギアを覆っている動力伝達ベルト１１５から構成される。このような回転型ブラシ１００の回転は充電式乾電池（図示せず）から電源を得るモータ１０９の回転駆動によりモータ１０９に設けられているモータ側ギア１１０が回転して、同時にこれを覆っている動力伝達ベルト１１５が回転しながら回転型ブラシ１００側の一側端に設けられているブラシ側ギア１１１を回転させ回転型ブラシ１００が回転する。
【００２４】
また回転型ブラシ１００に動力を伝達する動力伝達構造は直接モータを回転型ブラシ１００に連結し駆動させ構成してもよい（図示せず）。
【００２５】
図５は本発明の取っ手を示す実施例図である。図６は本発明の延長取っ手が結合された状態を示す実施例図である。本発明の取っ手１０３は、脱着式の二重構造からなるが、本体１に設けられている取っ手と鉄製円形棒を延長取っ手連結口１１７に１個以上連結してその端部に把持できる取っ手が設けられている延長取っ手１０４から構成されて、保管が容易なように取っ手が連結棒を分離できる。また、取っ手は外力により後方部側に傾きが可変に構成される。
【００２６】
図７は本発明の側面ブラシがさらに含まれ結合された状態を示す斜視図である。図８は本発明の側面ブラシの作動構造を示した実施例図である。その構成は回転型ブラシ側ギア１１１端部に設置されたブラシ側ベベルギア１１２と、これと連動される側面ブラシ側ベベルギア１１３と、側面ブラシ側ベベルギア１１３に設置された側面回転ブラシ１１４をさらに含んで構成される。
【００２７】
このような側面ブラシの回転はブラシ側ギア１１１端部に設置されたブラシ側ベベルギア１１２と連動される側面ブラシ側ベベルギア１１３が回転することにより、これに連結された側面ブラシが回転する。
【００２８】
前記本願の掃除機の電源（充電式乾電池、図示せず）は内蔵されていて、充電を通した電源補充をし、この時アダプタ（直流電源装置、図示せず）を通じて充電される。このような方法自体は通常の充電装置及び回路基板（図示せず）等の装置で構成するため詳細な説明は省略する。
【００２９】
前記のように装置された本発明の掃除機の作動方法は床（特にカーペット等）等にあるほこり、ごみ、細菌等を清掃するため電源ボタン１０６を押すと回転型ブラシ１００が回転されて、掃除機を地面にあてるとブラシ前端に設置された紫外線ランプ１０１が点灯する。この状態で掃除機が通り過ぎながら一次的に紫外線ランプ１０１から照射される紫外線で害虫に衝撃を与え害虫とカーペットの付着力を弱化させる一方、細菌を殺菌して、この殺菌された細菌とほこり、砂、ごみ等を回転型ブラシ１００が回転しながらごみ収集筒１０８に集める。
【００３０】
また側面の隅に側面ブラシを装置する場合、床と壁との間の隅にあるごみ等をこのブラシが回転しながら主ブラシである回転型ブラシ１００がある方向へ送る。
【００３１】
前記のような作動により本発明の掃除機は清掃しにくい所を容易に清掃することができる。
【００３２】
また、清掃能力を向上させるため本発明の掃除機装置に真空吸入関連装置をさらに含んで構成することで吸入力を増大させることができる。
【００３３】
本発明は、上述した特定の望ましい実施例に限定されず、請求範囲で請求する本発明の要旨を逸脱せず、当該発明が属する技術分野で通常の知識を有する者なら誰でも多様な変形実施が可能であるのはもちろん、そのような変形は請求範囲の記載内に入る。
【図面の簡単な説明】
【００３４】
【図１】本発明の斜視図である。
【図２】本発明の作動状態を示す実施例図である。
【図３】本発明のブラシ駆動方法を示す実施例図である。
【図４】本発明のブラシの作動構造を示す実施例図である。
【図５】本発明の取っ手を示す実施例図である。
【図６】本発明の延長取っ手が結合した状態を示す実施例図である。
【図７】本発明の側面ブラシをさらに含んで結合した状態を示す斜視図である。
【図８】本発明の側面ブラシの作動構造を示す実施例図である。
【符号の説明】
【００３５】
１      本体
１００  回転型ブラシ
１０１  紫外線ランプ
１０２  車輪
１０３  取っ手
１０４  延長取っ手
１０５  プラスチック透明窓
１０６  電源ボタン
１０７  紫外線ランプカバー
１０８  ごみ収集筒
１０９  モータ
１１０  モータ側ギア
１１１  ブラシ側ギア
１１２  ブラシ側ベベルギア
１１３  側面ブラシ側ベベルギア
１１４  側面回転ブラシ
１１５  動力伝達ベルト
１１６  吸込口
１１７  延長取っ手連結口
【図１】
2004283545.tif 000003
【図２】
2004283545.tif 000004
【図３】
2004283545.tif 000005
【図４】
2004283545.tif 000006
【図５】
2004283545.tif 000007
【図６】
2004283545.tif 000008
【図７】
2004283545.tif 000009
【図８】
2004283545.tif 000010